(57)【特許請求の範囲】
【請求項１】
第１の通信機器であって、
第１の通信方式に従った無線通信を実行するための第１のインターフェースと、
前記第１の通信方式とは異なる第２の通信方式に従った無線通信を実行するための第２のインターフェースと、
第１のファクシミリデータを第２の通信機器に送信するための所定指示が取得される場合に、前記第２のインターフェースを介して、第１の通知を前記第２の通信機器に送信する通知送信部であって、前記第１の通知は、前記第２の通信機器の所定のインターフェースの状態を、第１の状態から、前記第１の状態よりも消費電力が高い第２の状態に変更させるための通知であり、前記所定のインターフェースは、前記第２の通信機器が、前記第１の通信方式に従った無線通信を実行して、前記第１の通信機器から前記第１のファクシミリデータを受信するためのインターフェースである、前記通知送信部と、
前記第１の通知が送信された後に、前記第１のインターフェースを介した第１の無線接続を前記第２の通信機器と確立する第１の確立部と、
前記第１の無線接続を利用して、前記第１のインターフェースを介して、前記第１のファクシミリデータを前記第２の通信機器に送信するファクシミリ送信部と、
前記所定指示が取得される前に、前記第２のインターフェースを介した第２の無線接続を前記第２の通信機器と確立する第２の確立部と、
前記第２の無線接続が切断される場合に、前記第１のインターフェースを介した第３の無線接続を前記第２の通信機器と確立する第３の確立部と、
を備え、
前記通知送信部は、
前記第２の無線接続が確立されている間に前記所定指示が取得される場合に、前記第２の無線接続を利用して、前記第２のインターフェースを介して、前記第１の通知を前記第２の通信機器に送信し、
前記第３の無線接続が形成されている間に前記所定指示が取得される場合に、前記第１の通知を前記第２の通信機器に送信しない、第１の通信機器。
【請求項２】
前記第１の通信機器は、さらに、
前記第１のインターフェースの状態が第１の状態である間に前記所定指示が取得される場合に、前記第１のインターフェースの状態を前記第１の状態から前記第１の状態よりも消費電力が高い第２の状態に変更する第１の変更部を備え、
前記第１の確立部は、前記第１のインターフェースの状態が前記第２の状態に変更された後に、前記第１のインターフェースを介した前記第１の無線接続を前記第２の通信機器と確立し、
前記第１の変更部は、さらに、前記第２の通信機器への前記第１のファクシミリデータの送信が完了する場合に、前記第１のインターフェースの状態を前記第２の状態から前記第１の状態に変更する、請求項１に記載の第１の通信機器。
【請求項３】
前記第１の通信機器は、さらに、
前記第１のインターフェースの状態が第１の状態である間に、前記第２のインターフェースを介して、前記第２の通信機器から第２の通知を受信する通知受信部と、
前記第２の通知が受信される場合に、前記第１のインターフェースの状態を前記第１の状態から前記第１の状態よりも消費電力が高い第２の状態に変更する第２の変更部と、
前記第１のインターフェースの状態が前記第２の状態に変更された後に、前記第１のインターフェースを介した第４の無線接続を前記第２の通信機器と確立する第４の確立部と、
前記第４の無線接続を利用して、前記第１のインターフェースを介して、前記第２の通信機器から第２のファクシミリデータを受信するファクシミリ受信部と、を備え、
前記第２の変更部は、さらに、前記第２の通信機器からの前記第２のファクシミリデータの受信が完了する場合に、前記第１のインターフェースの状態を前記第２の状態から前記第１の状態に変更し、
前記第２のインターフェースの消費電力は、前記第２の状態である前記第１のインターフェースの消費電力よりも低い、請求項１又は請求項２に記載の第１の通信機器。
【請求項４】
前記第１の通信機器は、さらに、
公衆回線に接続される第３のインターフェースと、
前記第３のインターフェースを介して、外部機器から前記第１のファクシミリデータを受信することによって、前記所定指示を取得する取得部と、を備え、
前記第１のファクシミリデータによって表わされる画像は、前記第２の通信機器で印刷される、請求項１から請求項３のいずれか一項に記載の第１の通信機器。
【請求項５】
前記第１の通信機器は、さらに、
ユーザによって操作される操作部と、
スキャン実行部と、
前記第１のファクシミリデータを送信するための操作を前記操作部で受け付けることによって、前記所定指示を取得する取得部と、
前記所定指示が取得される場合に、前記スキャン実行部に原稿のスキャンを実行させて、前記第１のファクシミリデータを生成する生成部と、を備え、
前記第１のファクシミリデータは、前記第２の通信機器から公衆回線を介して外部機器に送信される、請求項１から請求項４のいずれか一項に記載の第１の通信機器。
【請求項６】
第１の通信機器であって、
第１の通信方式に従った無線通信を実行するための第１のインターフェースと、
前記第１の通信方式とは異なる第２の通信方式に従った無線通信を実行するための第２のインターフェースと、
第１のファクシミリデータを第２の通信機器に送信するための所定指示が取得される場合に、前記第２のインターフェースを介して、第１の通知を前記第２の通信機器に送信する通知送信部であって、前記第１の通知は、前記第２の通信機器の所定のインターフェースの状態を、無線通信を実行不可能な不可能状態から、無線通信を実行可能な可能状態に変更させるための通知であり、前記所定のインターフェースは、前記第２の通信機器が、前記第１の通信方式に従った無線通信を実行して、前記第１の通信機器から前記第１のファクシミリデータを受信するためのインターフェースである、前記通知送信部と、
前記第１の通知が送信された後に、前記第１のインターフェースを介した第１の無線接続を前記第２の通信機器と確立する第１の確立部と、
前記第１の無線接続を利用して、前記第１のインターフェースを介して、前記第１のファクシミリデータを前記第２の通信機器に送信するファクシミリ送信部と、
前記所定指示が取得される前に、前記第２のインターフェースを介した第２の無線接続を前記第２の通信機器と確立する第２の確立部と、
前記第２の無線接続が切断される場合に、前記第１のインターフェースを介した第３の無線接続を前記第２の通信機器と確立する第３の確立部と、
を備え、
前記通知送信部は、
前記第２の無線接続が確立されている間に前記所定指示が取得される場合に、前記第２の無線接続を利用して、前記第２のインターフェースを介して、前記第１の通知を前記第２の通信機器に送信し、
前記第３の無線接続が形成されている間に前記所定指示が取得される場合に、前記第１の通知を前記第２の通信機器に送信しない、第１の通信機器。
【発明の詳細な説明】
【技術分野】
【０００１】
本明細書では、一対の通信機器の間でファクシミリデータの無線通信を実行するための技術を開示する。
【背景技術】
【０００２】
特許文献１には、ＭＦＰとＢＯＸとの間でファクシミリデータの無線通信を実行するための技術が開示されている。具体的には、ＭＦＰとＢＯＸとの間で無線ＬＡＮが構築され、例えば、ＭＦＰは、無線ＬＡＮを利用して、ファクシミリデータをＢＯＸに送信する。そして、ＢＯＸは、電話回線網を利用して、当該ファクシミリデータを外部に送信する。
【先行技術文献】
【特許文献】
【０００３】
【特許文献１】特開２０１１−１１４７４８号公報
【発明の概要】
【発明が解決しようとする課題】
【０００４】
本明細書では、第１の通信機器と第２の通信機器との間でファクシミリデータの無線通信を実行するための新規な技術を開示する。
【課題を解決するための手段】
【０００５】
本明細書によって開示される一つの形態の第１の通信機器は、第１の通信方式に従った無線通信を実行するための第１のインターフェースと、前記第１の通信方式とは異なる第２の通信方式に従った無線通信を実行するための第２のインターフェースと、第１のファクシミリデータを第２の通信機器に送信するための所定指示が取得される場合に、前記第２のインターフェースを介して、第１の通知を前記第２の通信機器に送信する通知送信部であって、前記第１の通知は、前記第２の通信機器の所定のインターフェースの状態を、第１の状態から、前記第１の状態よりも消費電力が高い第２の状態に変更させるための通知であり、前記所定のインターフェースは、前記第２の通信機器が、前記第１の通信方式に従った無線通信を実行して、前記第１の通信機器から前記第１のファクシミリデータを受信するためのインターフェースである、前記通知送信部と、前記第１の通知が送信された後に、前記第１のインターフェースを介した第１の無線接続を前記第２の通信機器と確立する第１の確立部と、前記第１の無線接続を利用して、前記第１のインターフェースを介して、前記第１のファクシミリデータを前記第２の通信機器に送信するファクシミリ送信部と、を備える。
【０００６】
上記の構成によると、第１の通信機器は、所定指示を取得する場合に、第２のインターフェースを介して、第１の通知を第２の通信機器に送信して、第２の通信機器の所定のインターフェースの状態を第１の状態から第２の状態に変更させることができる。このために、第２の通信機器では、第１の通信機器から第１の通知が受信されるまで、所定のインターフェースの状態が第１の状態であり得るので、所定のインターフェースの状態が常に第２の状態である構成と比べると、消費電力を低減させ得る。そして、第１の通信機器は、第１のインターフェースを介した第１の無線接続を第２の通信機器と確立して、第１のファクシミリデータを第２の通信機器に送信する。このように、第１の通信機器は、第２の通信機器の消費電力を低減させ得る新規な手法を利用して、ファクシミリデータの無線通信を第２の通信機器と実行することができる。
【０００７】
本明細書によって開示される一つの形態の第２の通信機器は、第１の通信方式に従った無線通信を実行するための第１のインターフェースと、前記第１の通信方式とは異なる第２の通信方式に従った無線通信を実行するための第２のインターフェースと、前記第１のインターフェースの状態が第１の状態である間に、前記第２のインターフェースを介して、前記第１の通信機器から第１の通知を受信する通知受信部と、前記第１の通知が受信される場合に、前記第１のインターフェースの状態を前記第１の状態から前記第１の状態よりも消費電力が高い第２の状態に変更する変更部と、前記第１のインターフェースの状態が前記第２の状態に変更された後に、前記第１のインターフェースを介した第１の無線接続を前記第１の通信機器と確立する確立部と、前記第１の無線接続を利用して、前記第１のインターフェースを介して、前記第１の通信機器から前記第１のファクシミリデータを受信するファクシミリ受信部と、を備える。前記変更部は、さらに、前記第１の通信機器からの前記第１のファクシミリデータの受信が完了する場合に、前記第１のインターフェースの状態を前記第２の状態から前記第１の状態に変更する。前記第２のインターフェースの消費電力は、前記第２の状態である前記第１のインターフェースの消費電力よりも低い。
【０００８】
上記の構成によると、第２の通信機器は、第１の通信機器から第１の通知を受信する場合、即ち、第１のファクシミリデータを受信すべき状況では、第１のインターフェースの状態を第２の状態に変更するが、第１のファクシミリデータを受信すべきでない状況では、第１のインターフェースの状態が第１の状態である。この結果、第１のインターフェースの状態が常に第２の状態である構成と比べると、消費電力を低減させ得る。このように、第２の通信機器は、第２の通信機器自身の消費電力を低減させ得る新規な手法を利用して、ファクシミリデータの無線通信を第１の通信機器と実行することができる。
【０００９】
本明細書によって開示される一つの形態の第１の通信機器は、第１の通信方式に従った無線通信を実行するための第１のインターフェースと、前記第１の通信方式とは異なる第２の通信方式に従った無線通信を実行するための第２のインターフェースと、第１のファクシミリデータを第２の通信機器に送信するための所定指示が取得される場合に、前記第２のインターフェースを介して、第１の通知を前記第２の通信機器に送信する通知送信部であって、前記第１の通知は、前記第２の通信機器の所定のインターフェースの状態を、無線通信を実行不可能な不可能状態から、無線通信を実行可能な可能状態に変更させるための通知であり、前記所定のインターフェースは、前記第２の通信機器が、前記第１の通信方式に従った無線通信を実行して、前記第１の通信機器から前記第１のファクシミリデータを受信するためのインターフェースである、前記通知送信部と、前記第１の通知が送信された後に、前記第１のインターフェースを介した第１の無線接続を前記第２の通信機器と確立する確立部と、前記第１の無線接続を利用して、前記第１のインターフェースを介して、前記第１のファクシミリデータを前記第２の通信機器に送信するファクシミリ送信部と、を備える。
【００１０】
上記の構成によると、第１の通信機器は、所定指示を取得する場合に、第２のインターフェースを介して、第１の通知を第２の通信機器に送信して、第２の通信機器の所定のインターフェースの状態を不可能状態から可能状態に変更させることができる。このために、第１の通信機器は、第１のインターフェースを介した第１の無線接続を第２の通信機器と適切に確立することができ、この結果、第１のファクシミリデータを第２の通信機器に適切に送信することができる。このように、第１の通信機器は、第１の無線接続を第２の通信機器と適切に確立可能な新規な手法を利用して、ファクシミリデータの無線通信を第２の通信機器と実行することができる。
【００１１】
本明細書によって開示される一つの形態の第２の通信機器は、第１の通信方式に従った無線通信を実行するための第１のインターフェースと、前記第１の通信方式とは異なる第２の通信方式に従った無線通信を実行するための第２のインターフェースと、前記第１のインターフェースの状態が無線通信を実行不可能な不可能状態である間に、前記第２のインターフェースを介して、前記第１の通信機器から第１の通知を受信する通知受信部と、前記第１の通知が受信される場合に、前記第１のインターフェースの状態を前記不可能状態から無線通信を実行可能な可能状態に変更する変更部と、前記第１のインターフェースの状態が前記可能状態に変更された後に、前記第１のインターフェースを介した第１の無線接続を前記第１の通信機器と確立する確立部と、前記第１の無線接続を利用して、前記第１のインターフェースを介して、前記第１の通信機器から前記第１のファクシミリデータを受信するファクシミリ受信部と、を備える。前記変更部は、さらに、前記第１の通信機器からの前記第１のファクシミリデータの受信が完了する場合に、前記第１のインターフェースの状態を前記可能状態から前記不可能状態に変更する。
【００１２】
上記の構成によると、第１のファクシミリデータを受信すべきでない状況では、第１のインターフェースの状態が不可能状態であるが、第２の通信機器は、第１の通信機器から第１の通知を受信する場合、即ち、第１のファクシミリデータを受信すべき状況では、第１のインターフェースの状態を可能状態に変更する。このために、第２の通信機器は、第１のインターフェースを介した第１の無線接続を第１の通信機器と適切に確立することができ、この結果、第１の通信機器から第１のファクシミリデータを適切に受信することができる。このように、第２の通信機器は、第１の無線接続を第１の通信機器と適切に確立可能な新規な手法を利用して、ファクシミリデータの無線通信を第１の通信機器と実行することができる。
【００１３】
上記の第１の通信機器及び第２の通信機器を備える無線通信システムも、新規で有用である。また、上記の第１の通信機器及び第２の通信機器のそれぞれを実現するための制御方法、コンピュータプログラム、及び、当該コンピュータプログラムを格納するコンピュータ読取可能記録媒体も、新規で有用である。
【図面の簡単な説明】
【００１４】
【図１】無線通信システムの構成を示す。
【図２】ＣＤ（即ち通話デバイス）及びＭＦＰ（即ち多機能機）のＩ／Ｆ制御処理のフローチャートを示す。
【図３】ＣＤのＦＡＸ監視処理のフローチャートを示す。
【図４】ＭＦＰのＦＡＸ監視処理のフローチャートを示す。
【図５】ＢＴ接続が確立される様子と、ＣＤからＭＦＰにＦＡＸデータが送信される様子と、を含むケースＡのシーケンス図を示す。
【図６】ＭＦＰからＣＤにＦＡＸデータが送信される様子と、ＢＴ接続が切断される様子と、を含むケースＢのシーケンス図を示す。
【発明を実施するための形態】
【００１５】
（無線通信システム２の構成）
図１に示されるように、無線通信システム２は、多機能機１０（以下では「ＭＦＰ（Multi-Function Peripheralの略）」と呼ぶ）と、通話デバイス５０（以下では「ＣＤ（Call Deviceの略）」と呼ぶ）と、を備える。ＭＦＰ１０及びＣＤ５０は、セットで出荷されるものである。なお、図面及び以下では、記載の簡略化のために、ファクシミリのことを「ＦＡＸ」と記載する。
【００１６】
（ＭＦＰ１０の構成）
ＭＦＰ１０は、印刷機能及びスキャン機能を含む多機能を実行可能な周辺機器、即ち、図示省略のＰＣ（Personal Computer1の略）等の周辺機器である。ＭＦＰ１０は、操作部１２と、表示部１４と、Ｗｉ−Ｆｉインターフェース２０と、ＢＴ（Bluetooth（登録商標）の略）インターフェース２２と、印刷実行部２４と、スキャン実行部２６と、制御部３０と、を備える。各部１２〜３０は、バス線（符号省略）に接続されている。以下では、インターフェースのことを「Ｉ／Ｆ」と呼ぶ。
【００１７】
操作部１２は、複数のキーを備える。ユーザは、操作部１２を操作することによって、様々な指示をＭＦＰ１０に入力することができる。表示部１４は、様々な情報を表示するためのディスプレイである。印刷実行部２４は、インクジェット方式、レーザ方式等の印刷機構である。スキャン実行部２６は、ＣＣＤ（Charge Coupled Deviceの略）、ＣＩＳ（Contact Image Sensorの略）等のスキャン機構である。
【００１８】
Ｗｉ−ＦｉＩ／Ｆ２０は、Ｗｉ−Ｆｉ方式に従った無線通信（以下では「Ｗｉ−Ｆｉ通信」と呼ぶ）を実行するためのＩ／Ｆである。Ｗｉ−Ｆｉ方式は、例えば、ＩＥＥＥ（The Institute of Electrical and Electronics Engineers, Inc.の略）の８０２．１１の規格、及び、それに準ずる規格（例えば、８０２．１１ａ，１１ｂ，１１ｇ，１１ｎ等）に基づく無線通信方式である。より具体的に言うと、Ｗｉ−ＦｉＩ／Ｆ２０は、Ｗｉ−Ｆｉ  Ａｌｌｉａｎｃｅによって策定されたＷＦＤ（Wi-Fi Direct（登録商標）の略）方式をサポートしている。ＷＦＤ方式は、Ｗｉ−Ｆｉ  Ａｌｌｉａｎｃｅによって作成された規格書「Wi-Fi Peer-to-Peer (P2P) Technical Specification Version1.1」に記述されている無線通信方式である。
【００１９】
ＢＴＩ／Ｆ２２は、Ｂｌｕｅｔｏｏｔｈ方式に従った無線通信（以下では「ＢＴ通信」と呼ぶ）を実行するためのＩ／Ｆである。Ｂｌｕｅｔｏｏｔｈ方式は、例えば、ＩＥＥＥ８０２．１５．１の規格、及び、それに準ずる規格に基づく無線通信方式である。より具体的に言うと、ＢＴＩ／Ｆ２２は、ＢＬＥ（Bluetooth Low Energyの略）をサポートしている。ＢＬＥは、Ｂｌｕｅｔｏｏｔｈ方式のバージョン４．０以降のバージョンで実現されている規格である。なお、以下では、Ｂｌｕｅｔｏｏｔｈ方式のバージョン４．０未満のことを「クラシックＢＴ」と呼ぶ。一対のＢＴＩ／Ｆの間でＢＬＥに従ったＢＴ通信を実行するためには、一方のＢＴＩ／Ｆが、ＢＴ方式で定められている「Bluetooth Smart Ready」に対応し、かつ、他方のＢＴＩ／Ｆが、「Bluetooth Smart Ready」、又は、ＢＴ方式で定められている「Bluetooth Smart」に対応していてもよい。「Bluetooth Smart Ready」に対応するＢＴＩ／Ｆは、ＢＬＥに従った動作とクラシックＢＴに従った動作との双方を実行可能なＩ／Ｆ（即ちいわゆるデュアルモードのＩ／Ｆ）である。「Bluetooth Smart」に対応するＢＴＩ／Ｆは、ＢＬＥに従った動作を実行可能であるが、クラシックＢＴに従った動作を実行不可能なＩ／Ｆである。本実施例では、ＭＦＰ１０とＣＤ５０との間でＢＬＥに従ったＢＴ通信が実行される。そして、ＭＦＰ１０のＢＴＩ／Ｆ２２とＣＤ５０のＢＴＩ／Ｆ６２との双方が「Bluetooth Smart Ready」に対応している。ただし、変形例では、ＭＦＰ１０のＢＴＩ／Ｆ２２とＣＤ５０のＢＴＩ／Ｆ６２とのうちの一方が「Bluetooth Smart Ready」に対応し、他方が「Bluetooth Smart」に対応していてもよい。
【００２０】
クラシックＢＴとＢＬＥとの相違点を記述しておく。ＢＬＥのチャネル数（即ち４０）は、クラシックＢＴのチャネル数（即ち７９）よりも少ない。ＢＬＥのデータ通信時の消費電流（例えば１５ｍＡ）は、クラシックＢＴのデータ通信時の消費電流（例えば３５ｍＡ）よりも小さい。従って、ＢＬＥの消費電力は、クラシックＢＴの消費電力よりも低い。また、ＢＬＥでは、Ａｄｖｅｒｔｉｓｅ信号が利用されるが、クラシックＢＴでは、Ａｄｖｅｒｔｉｓｅ信号が利用されない。
【００２１】
Ｗｉ−Ｆｉ方式とＢＴ方式との相違点を記述しておく。Ｗｉ−Ｆｉ通信の通信速度（例えば最大の通信速度が６００Ｍｂｐｓ）は、ＢＴ通信の通信速度（例えば最大の通信速度が２４Ｍｂｐｓ）よりも速い。Ｗｉ−Ｆｉ通信における搬送波の周波数は、２．４ＧＨｚ帯又は５．０ＧＨｚ帯である。ＢＴ通信における搬送波の周波数は、２．４ＧＨｚ帯である。即ち、Ｗｉ−Ｆｉ通信における搬送波の周波数として５．０ＧＨｚ帯が採用される場合には、Ｗｉ−Ｆｉ通信における搬送波の周波数とＢＴ通信における搬送波の周波数とは異なる。また、Ｗｉ−Ｆｉ通信を実行可能な最大の距離（例えば約１００ｍ）は、ＢＴ通信を実行可能な最大の距離（例えば約数十ｍ）よりも大きい。
【００２２】
制御部３０は、ＣＰＵ３２と、メモリ３４と、を備える。ＣＰＵ３２は、メモリ３４に記憶されているプログラム３６に従って、様々な処理を実行する。メモリ３４は、揮発性メモリ、不揮発性メモリ等によって構成される。メモリ３４は、上記のプログラム３６のみならず、ＭＦＰ１０の出荷段階から、Ｗｉ−Ｆｉ設定情報ＷＳＩとＢＴ設定情報ＢＳＩとを予め記憶している。Ｗｉ−Ｆｉ設定情報ＷＳＩは、ＣＤ５０とのＷｉ−Ｆｉ通信を実行するための情報であり、例えば、ＳＳＩＤ（Service Set Identifierの略）、認証方式、暗号化方式、パスワード等の各種の情報を含む。ＢＴ設定情報ＢＳＩは、ＣＤ５０とのＢＴ通信を実行するための情報であり、認証方式、暗号化方式、パスキー等の各種の情報を含む。メモリ３４は、さらに、ＭＦＰ１０の出荷段階から、ＣＤ５０のデバイス名「Ｎ５０」を予め記憶している。
【００２３】
（ＣＤ５０の構成）
ＣＤ５０は、Ｗｉ−ＦｉＩ／Ｆ６０は、ＢＴＩ／Ｆ６２と、ＰＳＴＮ（Public Switched Telephone Networkの略）Ｉ／Ｆ６４と、制御部７０と、ハンドセット８０と、を備える。各部６０〜７０は、バス線（符号省略）に接続されており、図示省略の筐体内に設けられている。ハンドセット８０は、上記の筐体に対して着脱可能である。
【００２４】
Ｗｉ−ＦｉＩ／Ｆ６０は、Ｗｉ−Ｆｉ通信を実行するためのＩ／Ｆであり、ＷＦＤをサポートしている。ＢＴＩ／Ｆ６２は、ＢＴ通信を実行するためのＩ／Ｆであり、ＢＬＥをサポートしている。ＣＤ５０のＷｉ−ＦｉＩ／Ｆ６０とＢＴＩ／Ｆ６２との間の相違点は、ＭＦＰ１０のＷｉ−ＦｉＩ／Ｆ２０とＢＴＩ／Ｆ２２との間の相違点と同様である。ＰＳＴＮＩ／Ｆ６４は、公衆回線であるＰＳＴＮに接続される。より具体的に言うと、ＰＳＴＮＩ／Ｆ６４には、ＰＳＴＮのためのケーブルの一端が接続される。当該ケーブルの他端は、例えば、家庭内のＰＳＴＮ用ソケットに接続される。
【００２５】
制御部７０は、ＣＰＵ７２と、メモリ７４と、を備える。ＣＰＵ７２は、メモリ７４に記憶されているプログラム７６に従って、様々な処理を実行する。メモリ７４は、揮発性メモリ、不揮発性メモリ等によって構成される。メモリ７４は、上記のプログラム７６のみならず、ＣＤ５０の出荷段階から、Ｗｉ−Ｆｉ設定情報ＷＳＩとＢＴ設定情報ＢＳＩとを予め記憶している。ＣＤ５０のメモリ７４内のＷｉ−Ｆｉ設定情報ＷＳＩ、ＢＴ設定情報ＢＳＩは、それぞれ、ＭＦＰ１０のメモリ３４内のＷｉ−Ｆｉ設定情報ＷＳＩ、ＢＴ設定情報ＢＳＩと同じである。メモリ７４は、さらに、ＣＤ５０の出荷段階から、ＭＦＰ１０のデバイス名「Ｎ１０」を予め記憶している。
【００２６】
ハンドセット８０は、マイク８２と、スピーカ８４と、図示省略のＣＰＵと、を備える。また、図示省略しているが、ハンドセット８０とＣＤ５０の上記の筐体とのそれぞれは、ＤＥＣＴ（Digital Enhanced Cordless Telecommunicationの略）規格に従って、音声データの無線通信を実行するためのインターフェースを備える。ユーザは、上記の筐体からハンドセット８０が離脱した状態で、ハンドセット８０を利用して、上記の筐体（即ちＰＳＴＮＩ／６２）を介して、ＰＳＴＮに接続されている電話機（図示省略）と電話通信を実行することができる。
【００２７】
（ＦＡＸ機能）
ＭＦＰ１０及びＣＤ５０が協働して処理を実行することによって、ＦＡＸ機能が実現される。例えば、ＣＤ５０は、ＦＡＸ装置１２０からＰＳＴＮＩ／Ｆ６４を介してＦＡＸデータを受信する場合に、Ｗｉ−ＦｉＩ／Ｆ６０を介してＦＡＸデータをＭＦＰ１０に送信する。ＭＦＰ１０は、ＣＤ５０からＷｉ−ＦｉＩ／Ｆ２０を介してＦＡＸデータを受信する場合に、印刷実行部２４においてＦＡＸデータによって表わされる画像の印刷を実行する。これにより、ＦＡＸ受信動作が実現される。
【００２８】
また、ＭＦＰ１０は、例えば、ＦＡＸ装置１２０がＦＡＸデータの送信先として指定される場合に、スキャン実行部２６において原稿のスキャンを実行することによって得られるＦＡＸデータを、Ｗｉ−ＦｉＩ／Ｆ２０を介してＣＤ５０に送信する。ＣＤ５０は、ＭＦＰ１０からＷｉ−ＦｉＩ／Ｆ６０を介してＦＡＸデータを受信する場合に、ＰＳＴＮＩ／Ｆ６４を介してＦＡＸ装置１２０にＦＡＸデータを送信する。これにより、ＦＡＸ送信動作が実現される。
【００２９】
上述したように、ＭＦＰ１０は、ＰＳＴＮから受信されるＦＡＸデータによって表わされる画像を印刷する機構である印刷実行部２４を備えているが、ＣＤ５０は、当該機構を備えていない。また、ＭＦＰ１０は、原稿のスキャンを実行して、ＰＳＴＮに送信されるべきＦＡＸデータを生成する機構であるスキャン実行部２６を備えているが、ＣＤ５０は、当該機構を備えていない。従って、ＭＦＰ１０の全体のサイズは、ＣＤ５０の全体のサイズよりも大きい。
【００３０】
仮に、ＰＳＴＮのためのケーブルをＣＤ５０ではなくＭＦＰ１０に接続しなければならない構成（即ち、ＰＳＴＮＩ／ＦをＭＦＰ１０に設ける構成）を採用すると、以下の理由で、ユーザの利便性が損なわれ得る。即ち、家庭内では、ＰＳＴＮ用ソケットの位置が予め決められている。そして、ＭＦＰ１０が比較的に大きいサイズを有するために、ＰＳＴＮ用ソケットの近傍にスペースが少ない環境では、ＰＳＴＮ用ソケットの近傍にＭＦＰ１０を設置するのが困難である。これに対し、本実施例では、比較的に小さいサイズを有するＣＤ５０にＰＳＴＮＩ／Ｆ６４が設けられている。従って、ＰＳＴＮ用ソケットの近傍にスペースが少ない環境でも、ＰＳＴＮ用ソケットの近傍にＣＤ５０を容易に設置して、ＣＤ５０をＰＳＴＮに接続することができる。そして、ＭＦＰ１０及びＣＤ５０がＦＡＸデータの無線通信を実行可能であるので、ユーザは、ＰＳＴＮ用ソケットから離れた位置にＭＦＰ１０を自由に設置することができる。
【００３１】
（ＣＤ５０及びＭＦＰ１０のＩ／Ｆ制御処理；図２）
続いて、図２を参照して、ＣＤ５０のＣＰＵ７２が実行するＩ／Ｆ制御処理について説明する。なお、基本的には、ＣＤ５０のＣＰＵ７２を主語として図２の処理を説明するが、ＭＦＰ１０のＣＰＵ３２も同様に図２の処理を実行する。そして、ＭＦＰ１０のＣＰＵ３２がＣＤ５０のＣＰＵ７２とは異なる処理を実行する場合には、その旨を説明する。ＣＤ５０のＣＰＵ７２は、ＣＤ５０の電源がＯＮされると、図２の処理を開始する。なお、以下では、ＣＤ５０の電源とＭＦＰ１０の電源とがほぼ同時にＯＮされる状況を想定している。
【００３２】
Ｓ２では、ＣＤ５０のＣＰＵ７２は、Ｗｉ−ＦｉＩ／Ｆ６０の状態をＯＦＦ状態からＯＮ状態に変更し、さらに、ＢＴＩ／Ｆ６２の状態をＯＦＦ状態からＯＮ状態に変更する。ここで、「ＯＦＦ状態」は、Ｉ／Ｆに電力が供給されていない状態、即ち、Ｉ／Ｆを介した無線通信を実行不可能な状態である。また、「ＯＮ状態」は、Ｉ／Ｆに電力が供給されている状態、即ち、Ｉ／Ｆを介した無線通信を実行可能な状態である。詳しくは後述するが、ＣＤ５０の電源がＯＮされている間に、ＢＴＩ／Ｆ６２は、常にＯＮ状態に設定されるが、Ｗｉ−ＦｉＩ／Ｆ６０は、ＯＮ状態とＯＦＦ状態とのうちのどちらかに設定される。ＢＴＩ／Ｆ６２の消費電力は、ＯＮ状態であるＷｉ−ＦｉＩ／Ｆ６０の消費電力よりも低い。
【００３３】
Ｓ２では、ＭＦＰ１０のＣＰＵ３２は、さらに、ＷＦＤのＧ／Ｏ（Group Ownerの略）ネゴシエーションを実行することなく、ＭＦＰ１０の状態をＷＦＤのＧ／Ｏ状態に自発的に移行させる。
【００３４】
Ｓ４では、ＣＤ５０のＣＰＵ７２は、Ｗｉ−ＦｉＩ／Ｆ６０を介した無線接続（以下では「Ｗｉ−Ｆｉ接続」と呼ぶ）をＭＦＰ１０と確立する。具体的には、ＣＰＵ７２は、Ｗｉ−ＦｉＩ／Ｆ６０を介して、メモリ７４内のＷｉ−Ｆｉ設定情報ＷＳＩに含まれるＳＳＩＤを含むProbe Request信号をＭＦＰ１０に送信する。そして、ＣＰＵ７２は、Ｗｉ−ＦｉＩ／Ｆ６０を介して、ＭＦＰ１０からProbe Response信号を受信し、さらに、各種の信号の通信（例えば、Authentication Request信号の送信、Authentication Response信号の受信、Association Request信号の送信、Association Response信号の受信、4-Way Handshakeの通信）をＭＦＰ１０と実行する。ＣＰＵ７２は、上記の各種の信号の通信の過程で、メモリ７４内のＷｉ−Ｆｉ設定情報ＷＳＩに含まれる認証方式、暗号化方式、及び、パスワードをＭＦＰ１０に送信する。これにより、ＣＰＵ７２は、Ｗｉ−Ｆｉ接続をＭＦＰ１０と確立することができる。特に、ＣＰＵ７２は、ＣＤ５０の状態をＷＦＤのクライアント状態に設定して、ＭＦＰ１０がＧ／Ｏ状態で動作する無線ネットワーク（即ち無線ＬＡＮ（Local Area Networkの略））に参加する。そして、ＣＰＵ７２は、Ｇ／Ｏ状態であるＭＦＰ１０から、ＣＤ５０が利用すべきネットワーク情報（即ち、ＭＦＰ１０のＩＰアドレス、ＣＤ５０のＩＰアドレス、サブネットマスク等）を取得し、当該ネットワーク情報をＣＤ５０のメモリ７４に記憶させる。従って、ネットワーク情報がメモリ７４に記憶されている場合には、ＣＤ５０は、Ｗｉ−Ｆｉ接続をＭＦＰ１０と確立しているＷｉ−Ｆｉ接続状態である。
【００３５】
Ｓ４では、ＭＦＰ１０のＣＰＵ３２は、Ｗｉ−ＦｉＩ／Ｆ２０を介して、ＣＤ５０からProbe Request信号を受信し、Probe Response信号をＣＤ５０に送信し、さらに、各種の信号の通信（例えば、Authentication Request信号の受信、Authentication Response信号の送信、Association Request信号の受信、Association Response信号の送信、4-Way Handshakeの通信）をＣＤ５０と実行する。ＣＰＵ３２は、上記の各種の信号の通信の過程で、ＣＤ５０から認証方式、暗号化方式、及び、パスワードを受信し、それらの情報がＭＦＰ１０のメモリ３４内のＷｉ−Ｆｉ設定情報ＷＳＩに含まれる情報に一致するのか否かを判断する。即ち、ＣＰＵ３２は、ＣＤ５０の認証を実行する。上述したように、ＭＦＰ１０とＣＤ５０とが同じＷｉ−Ｆｉ設定情報ＷＳＩを予め記憶しているので、ＣＰＵ３２は、ＣＤ５０の認証が成功したと判断し、この結果、Ｗｉ−Ｆｉ接続をＣＤ５０と確立する。特に、ＣＰＵ３２は、ＭＦＰ１０がＧ／Ｏ状態で動作する無線ネットワークに、ＣＤ５０をクライアント状態として参加させる。そして、ＣＰＵ３２は、ＣＤ５０が利用すべきネットワーク情報を生成して、当該ネットワーク情報をＣＤ５０に送信し、さらに、当該ネットワーク情報をＭＦＰ１０のメモリ３４に記憶させる。従って、ネットワーク情報がメモリ３４に記憶されている場合には、ＭＦＰ１０は、Ｗｉ−Ｆｉ接続をＣＤ５０と確立しているＷｉ−Ｆｉ接続状態である。
【００３６】
なお、変形例では、ＣＤ５０は、Ｓ２において、ＷＦＤのＧ／Ｏ状態に移行し、Ｓ４において、ＣＤ５０がＧ／Ｏ状態で動作する無線ネットワークに、ＭＦＰ１０をクライアント状態として参加させてもよい。また、別の変形例では、ＭＦＰ１０及びＣＤ５０のうちの一方の機器は、Ｓ２において、いわゆるＳｏｆｔＡＰを起動し（即ちアクセスポイントとしての動作を開始し）、Ｓ４において、当該一方の機器がＳｏｆｔＡＰとして動作する無線ネットワークに、他方の機器を参加させてもよい。
【００３７】
Ｓ１０では、ＣＤ５０のＣＰＵ７２は、ＢＴＩ／Ｆ６２を介した無線接続（以下では「ＢＴ接続」と呼ぶ）がＭＦＰ１０と確立されているＢＴ接続状態から、ＢＴ接続がＭＦＰ１０と確立されていないＢＴ切断状態に変化したのか否かを判断する。なお、ＢＴ接続は、後述のＳ２６で確立され、ＢＴ接続が確立されると、後述のＳ２８において、Ｗｉ−ＦｉＩ／Ｆ６０がＯＦＦ状態に設定される。即ち、ＢＴ接続状態では、通常、Ｗｉ−Ｆｉ接続が切断されている。例えば、ＣＤ５０とＭＦＰ１０との間に遮蔽物が設置されると、ＣＤ５０とＭＦＰ１０との間のＢＴ通信の通信環境が悪化し、この結果、ＢＴ接続状態からＢＴ切断状態に変化し得る。また、例えば、ＣＤ５０の設置場所を変えるためにＣＤ５０を移動させると、ＣＤ５０とＭＦＰ１０との間の距離がＢＴ通信を実行可能な最大の距離よりも大きくなり得るので、この結果、ＢＴ接続状態からＢＴ切断状態に変化し得る。ＣＰＵ７２は、ＢＴＩ／Ｆ６２から、ＢＴ接続状態からＢＴ切断状態への変化を示す情報を取得する場合（Ｓ１０でＹＥＳ）に、Ｓ１２に進む。
【００３８】
Ｓ１２では、ＣＤ５０のＣＰＵ７２は、Ｗｉ−ＦｉＩ／Ｆ６０の状態をＯＦＦ状態からＯＮ状態に変更する。次いで、Ｓ１４では、ＣＰＵ７２は、Ｓ４と同様に、Ｗｉ−Ｆｉ接続をＭＦＰ１０と確立する。Ｓ１４が終了すると、Ｓ１０に戻る。ＣＰＵ７２は、Ｓ１０でＮＯと判断すると、Ｓ２０に進む。
【００３９】
Ｓ２０では、ＣＤ５０のＣＰＵ７２は、ＢＴＩ／Ｆ６２の状態がＢＴ切断状態であるのか否か判断する。具体的には、ＣＰＵ７２は、ＢＴＩ／Ｆ６２の状態をＢＴＩ／Ｆ６２に問い合わせて、ＢＴＩ／Ｆ６２からＢＴ切断状態を示す情報を取得する場合（Ｓ２０でＹＥＳ）に、Ｓ２２に進む。
【００４０】
Ｓ２２では、ＣＤ５０のＣＰＵ７２は、ＢＴＩ／Ｆ６２を介して、ＣＤ５０のデバイス名「Ｎ５０」を含むＡｄｖｅｒｔｉｓｅ信号をブロードキャスト送信する。Ａｄｖｅｒｔｉｓｅ信号は、ＢＴ接続の対象の機器をサーチするための信号である。そして、Ｓ２４では、ＣＰＵ７２は、ＭＦＰ１０が見つかったのか否かを判断する。具体的には、ＣＰＵ７２は、ＢＴＩ／Ｆ６２を介して、ＭＦＰ１０からＢＴ接続要求を受信する場合に、ＭＦＰ１０が見つかったと判断して（Ｓ２４でＹＥＳ）、Ｓ２６に進む。一方、ＣＰＵ７２は、Ｓ２２でＡｄｖｅｒｔｉｓｅ信号を送信してから所定時間が経過するまでの間に、ＭＦＰ１０からＢＴ接続要求を受信しない場合に、ＭＦＰ１０が見つからなかったと判断して（Ｓ２４でＮＯ）、Ｓ１０に戻る。
【００４１】
なお、ＭＦＰ１０のＣＰＵ３２は、ＢＴＩ／Ｆ２２を介して、ＣＤ５０からＡｄｖｅｒｔｉｓｅ信号を受信する場合に、図示省略の処理において、Ａｄｖｅｒｔｉｓｅ信号内のデバイス名「Ｎ５０」がメモリ３４に記憶されているのか否かを判断する。デバイス名「Ｎ５０」がメモリ３４に記憶されているので（図１参照）、ＣＰＵ３２は、デバイス名「Ｎ５０」がメモリ３４に記憶されていると判断し、この結果、図示省略の処理において、ＢＴＩ／Ｆ２２を介して、ＢＴ接続要求をＣＤ５０に送信する。この場合、ＣＰＵ３２は、Ｓ２０でＹＥＳと判断しても、Ｓ２２及びＳ２４を実行することなく、Ｓ２６に進む。
【００４２】
また、ＭＦＰ１０のＣＰＵ３２は、ＣＤ５０からＡｄｖｅｒｔｉｓｅ信号を受信する前に、Ｓ２０でＹＥＳと判断する場合に、Ｓ２２において、ＢＴＩ／Ｆ２２を介して、ＭＦＰ１０のデバイス名「Ｎ１０」を含むＡｄｖｅｒｔｉｓｅ信号をブロードキャスト送信し、Ｓ２４において、ＣＤ５０が見つかったのか否かを判断する。そして、ＣＤ５０のＣＰＵ７２は、ＭＦＰ１０のＣＰＵ３２と同様に、図示省略の処理において、Ａｄｖｅｒｔｉｓｅ信号内のデバイス名「Ｎ１０」がメモリ３４に記憶されていると判断し、ＢＴ接続要求をＭＦＰ１０に送信する。この場合、ＣＰＵ７２は、Ｓ２０でＹＥＳと判断しても、Ｓ２２及びＳ２４を実行することなく、Ｓ２６に進む。
【００４３】
Ｓ２６では、ＣＤ５０のＣＰＵ７２は、ＢＴ接続をＭＦＰ１０と確立する。具体的には、ＣＰＵ７２は、メモリ７４内のＢＴ設定情報ＢＳＩを利用して、ペアリングをＭＦＰ１０と実行する。上述したように、ＭＦＰ１０とＣＤ５０とが同じＢＴ設定情報ＢＳＩを記憶しているので、ペアリングが成功し、この結果、ＣＰＵ７２は、ＢＴ接続をＭＦＰ１０と確立することができる。
【００４４】
Ｓ２８では、ＣＤ５０のＣＰＵ７２は、Ｗｉ−ＦｉＩ／Ｆ６０の状態をＯＮ状態からＯＦＦ状態に変更する。そして、ＣＰＵ７２は、メモリ７４内のネットワーク情報を削除する。これにより、ＣＤ５０とＭＦＰ１０との間のＷｉ−Ｆｉ接続が切断される。Ｓ２８でＣＤ５０のＷｉ−ＦｉＩ／Ｆ６０がＯＦＦ状態に変更されるので、ＣＤ５０の消費電力を低減させることができる。同様に、Ｓ２８でＭＦＰ１０のＷｉ−ＦｉＩ／Ｆ２０がＯＦＦ状態に変更されるので、ＭＦＰ１０の消費電力を低減させることができる。Ｓ２８が終了すると、Ｓ１０に戻る。ＣＤ５０のＣＰＵ７２は、Ｓ１０でＮＯと判断し、さらに、Ｓ２０でＮＯと判断すると（即ちＢＴ接続が確立されていると判断すると）、Ｓ３０に進む。
【００４５】
Ｓ３０では、ＣＤ５０のＣＰＵ７２は、ＢＴ接続を利用して、ＢＴＩ／Ｆ２２を介して、ＭＦＰ１０から起動通知を受信したのか否かを判断する。起動通知は、Ｗｉ−ＦｉＩ／Ｆ６０の状態をＯＦＦ状態からＯＮ状態に変更させるための通知（即ちＷｉ−ＦｉＩ／Ｆ６０を起動させるための通知）である。ＣＰＵ７２は、ＢＴＩ／Ｆ２２から起動通知の受信を示す情報を取得する場合（Ｓ３０でＹＥＳ）に、Ｓ３２に進む。なお、ＣＰＵ７２は、Ｓ３０でＮＯと判断する場合に、Ｓ１０に戻る。
【００４６】
Ｓ３２では、ＣＤ５０のＣＰＵ７２は、Ｗｉ−ＦｉＩ／Ｆ６０の状態をＯＦＦ状態からＯＮ状態に変更する。次いで、Ｓ３４では、ＣＰＵ７２は、Ｓ４と同様に、Ｗｉ−Ｆｉ接続をＭＦＰ１０と確立する。Ｓ３４が終了すると、Ｓ１０に戻る。
【００４７】
（ＣＤ５０のＦＡＸ監視処理；図３）
続いて、図３を参照して、ＣＤ５０のＣＰＵ７２が実行するＦＡＸ監視御処理について説明する。ＣＰＵ７２は、ＣＤ５０の電源がＯＮされると、図３の処理を開始する。
【００４８】
Ｓ１００では、ＣＰＵ７２は、ＰＳＴＮＩ／Ｆ６４を介して、ＦＡＸデータを受信することを監視する。ＣＰＵ７２は、ＦＡＸデータを受信する場合に、Ｓ１００でＹＥＳと判断して、Ｓ１０２に進む。ＦＡＸデータの受信（即ちＳ１００でＹＥＳ）は、当該ＦＡＸデータによって表わされる画像の印刷をＭＦＰ１０に実行させるために、当該ＦＡＸデータをＭＦＰ１０に送信するための指示を取得する処理であると言える。
【００４９】
Ｓ１０２では、ＣＰＵ７２は、ＣＤ５０がＷｉ−Ｆｉ接続をＭＦＰ１０と確立しているＷｉ−Ｆｉ接続状態であるのか否かを判断する。ＣＰＵ７２は、ネットワーク情報がメモリ７４に記憶されている場合には、Ｗｉ−Ｆｉ接続状態であると判断して（Ｓ１０２でＹＥＳ）、Ｓ１２０に進み、ネットワーク情報がメモリ７４に記憶されていない場合には、Ｗｉ−Ｆｉ接続状態でないと判断して（Ｓ１０２でＮＯ）、Ｓ１０４に進む。
【００５０】
Ｓ１０４では、ＣＰＵ７２は、図２のＳ２６で確立されたＢＴ接続を利用して、ＢＴＩ／Ｆ６２を介して、起動通知をＭＦＰ１０に送信する。これにより、ＣＰＵ７２は、Ｗｉ−Ｆｉ接続を確立するための処理（図２のＳ３２、Ｓ３４参照）をＭＦＰ１０に実行させることができる。
【００５１】
Ｓ１０６では、ＣＰＵ７２は、Ｗｉ−ＦｉＩ／Ｆ６０の状態をＯＦＦ状態からＯＮ状態に変更する。次いで、Ｓ１０８では、ＣＰＵ７２は、Ｗｉ−Ｆｉ接続をＭＦＰ１０と確立する。Ｓ１０８は、図２のＳ４と同様である。
【００５２】
Ｓ１１０では、ＣＰＵ７２は、Ｓ１０８で確立されたＷｉ−Ｆｉ接続を利用して、Ｗｉ−ＦｉＩ／Ｆ６０を介して、ＦＡＸデータをＭＦＰ１０に送信する。具体的には、ＣＰＵ７２は、メモリ７４内のネットワーク情報からＭＦＰ１０のＩＰアドレスを取得して、当該ＩＰアドレスを送信先としてＦＡＸデータを送信する。これにより、ＣＰＵ７２は、ＦＡＸデータに従った印刷処理（後述の図４のＳ２３２参照）をＭＦＰ１０に実行させることができる。
【００５３】
なお、ＭＦＰ１０とＣＤ５０との間でＢＴ通信を利用してＦＡＸデータを通信する構成が考えられる。ただし、ＦＡＸデータのデータサイズが大きい可能性があり、さらに、ＢＴ通信の通信速度は、Ｗｉ−Ｆｉ通信の通信速度よりも遅い。従って、仮に、ＢＴ通信を利用してＦＡＸデータを通信する構成を採用すると、ＦＡＸデータの通信に長時間を要し得る。これに対し、本実施例では、Ｗｉ−Ｆｉ通信を実行してＦＡＸデータを通信するので、ＦＡＸデータを迅速に通信することができる。
【００５４】
ＣＰＵ７２は、ＭＦＰ１０へのＦＡＸデータの送信が完了する場合に、Ｓ１１２において、Ｗｉ−ＦｉＩ／Ｆ６０の状態をＯＮ状態からＯＦＦ状態に変更する。これにより、ＭＦＰ１０とＣＤ５０との間のＷｉ−Ｆｉ接続が切断される。Ｓ１１２でＣＤ５０のＷｉ−ＦｉＩ／Ｆ６０がＯＦＦ状態に変更されるので、ＣＤ５０の消費電力を低減させることができる。Ｓ１１２が終了すると、Ｓ１００に戻る。
【００５５】
一方、Ｓ１２０（即ちＳ１０２でＷｉ−Ｆｉ接続状態であると判断される場合）では、ＣＰＵ７２は、Ｓ１０４〜Ｓ１０８を実行することなく、Ｗｉ−Ｆｉ接続を利用して、Ｗｉ−ＦｉＩ／Ｆ６０を介して、ＦＡＸデータをＭＦＰ１０に送信する。これにより、ＣＰＵ７２は、ＦＡＸデータに従った印刷処理（後述の図４のＳ２３２参照）をＭＦＰ１０に実行させることができる。そして、ＣＰＵ７２は、Ｓ１１２を実行することなく、即ち、Ｗｉ−ＦｉＩ／Ｆ６０の状態をＯＦＦ状態に変更することなく、Ｓ１００に戻る。この場合、ＭＦＰ１０とＣＤ５０との間のＷｉ−Ｆｉ接続が切断されずに維持される。
【００５６】
ＣＰＵ７２は、Ｓ１００でＮＯと判断すると、Ｓ１３０に進む。Ｓ１３０では、ＣＰＵ７２は、Ｗｉ−Ｆｉ接続を利用して、Ｗｉ−ＦｉＩ／Ｆ６０を介して、ＭＦＰ１０からＦＡＸデータを受信することを監視する。ＣＰＵ７２は、ＦＡＸデータを受信する場合に、Ｓ１３０でＹＥＳと判断して、Ｓ１３２に進む。なお、ＣＰＵ７２は、ＦＡＸデータを受信する際に、さらに、ＭＦＰ１０から、ＦＡＸデータの送信先のＦＡＸ番号（例えば図１のＦＡＸ装置１２０のＦＡＸ番号）を受信する。
【００５７】
Ｓ１３２では、ＣＰＵ７２は、受信済みのＦＡＸ番号に発呼する。次いで、ＣＰＵ７２は、ＰＳＴＮＩ／Ｆ６４を介して（即ちＰＳＴＮを介して）、ＦＡＸデータを送信する。これにより、ＦＡＸ送信動作が実現される。
【００５８】
Ｓ１３４では、ＣＰＵ７２は、ＢＴＩ／Ｆ６２の状態がＢＴ接続状態であるのか否か判断する。具体的には、ＣＰＵ７２は、ＢＴＩ／Ｆ６２の状態をＢＴＩ／Ｆ６２に問い合わせて、ＢＴＩ／Ｆ６２からＢＴ接続状態を示す情報を取得する場合（Ｓ１３４でＹＥＳ）に、Ｓ１３６に進む。Ｓ１３６では、ＣＰＵ７２は、Ｗｉ−ＦｉＩ／Ｆ６０の状態をＯＮ状態からＯＦＦ状態に変更する。これにより、ＭＦＰ１０とＣＤ５０との間のＷｉ−Ｆｉ接続が切断される。Ｓ１３６でＣＤ５０のＷｉ−ＦｉＩ／Ｆ６０がＯＦＦ状態に変更されるので、ＣＤ５０の消費電力を低減させることができる。Ｓ１３６が終了すると、Ｓ１００に戻る。
【００５９】
一方、ＣＰＵ７２は、ＢＴＩ／Ｆ６２からＢＴ切断状態を示す情報を取得する場合（Ｓ１３４でＮＯ）に、Ｓ１３６を実行することなく、即ち、Ｗｉ−ＦｉＩ／Ｆ６０の状態をＯＦＦ状態に変更することなく、Ｓ１００に戻る。この場合、ＭＦＰ１０とＣＤ５０との間のＷｉ−Ｆｉ接続が切断されずに維持される。
【００６０】
（ＭＦＰ１０のＦＡＸ監視処理；図４）
続いて、図４を参照して、ＭＦＰ１０のＣＰＵ３２が実行するＦＡＸ監視御処理について説明する。ＣＰＵ３２は、ＭＦＰ１０の電源がＯＮされると、図４の処理を開始する。
【００６１】
Ｓ２００では、ＣＰＵ３２は、操作部１２に対するＦＡＸ送信操作を受け付けることを監視する。ＦＡＸ送信操作は、ＦＡＸデータの送信先のＦＡＸ番号を入力するための操作と、ＦＡＸスタートボタンを押下するための操作と、を含む。ＣＰＵ３２は、ＦＡＸ送信操作を受け付ける場合（Ｓ２００でＹＥＳ）に、Ｓ２０１に進む。ＦＡＸ送信操作の受け付け（即ちＳ２００でＹＥＳ）は、ＰＳＴＮへのＦＡＸデータの送信をＣＤ５０に実行させるために、当該ＦＡＸデータをＣＤ５０に送信するための指示を取得する処理であると言える。
【００６２】
Ｓ２０１では、ＣＰＵ３２は、スキャン指示をスキャン実行部２６に供給して、原稿のスキャンをスキャン実行部２６に実行させる。そして、ＣＰＵ３２は、スキャン実行部２６からスキャン結果を取得して、当該スキャン結果を利用してＦＡＸデータを生成する。例えば、ＣＰＵ３２は、ＰＳＴＮを介して送信可能な形式（例えばＧ３、Ｇ４等）を有するＦＡＸデータを生成する。
【００６３】
Ｓ２０２〜Ｓ２１２及びＳ２２０は、処理の実行主体がＣＤ５０のＣＰＵ７２ではなくＭＦＰ１０のＣＰＵ３２である点を除くと、図３のＳ１０２〜Ｓ１１２及びＳ１２０と同様である。ただし、Ｓ２１０及びＳ２２０では、ＣＰＵ３２は、Ｓ２０１で生成されたＦＡＸデータと、Ｓ２００で入力されたＦＡＸ番号と、をＣＤ５０に送信する。これにより、ＣＰＵ３２は、ＰＳＴＮへのＦＡＸデータの送信（図３のＳ１３２参照）をＣＤ５０に実行させることができる。Ｓ２１２でＭＦＰ１０のＷｉ−ＦｉＩ／Ｆ２０がＯＦＦ状態に変更されるので、ＭＦＰ１０の消費電力を低減させることができる。Ｓ２１２又はＳ２２０が終了すると、Ｓ２００に戻る。
【００６４】
ＣＰＵ７２は、Ｓ２００でＮＯと判断すると、Ｓ２３０に進む。Ｓ２３０では、ＣＰＵ３２は、Ｗｉ−Ｆｉ接続を利用して、Ｗｉ−ＦｉＩ／Ｆ６０を介して、ＣＤ５０からＦＡＸデータ（図３のＳ１１０又はＳ１２０参照）を受信することを監視する。ＣＰＵ３２は、ＦＡＸデータを受信する場合に、Ｓ２３０でＹＥＳと判断して、Ｓ２３２に進む。
【００６５】
Ｓ２３２では、ＣＰＵ３２は、ＦＡＸデータを変換して、印刷実行部２４が解釈可能なデータ形式を有する印刷データを生成する。そして、ＣＰＵ３２は、印刷データを印刷実行部２４に供給して、印刷データによって表わされる画像、即ち、ＦＡＸデータによって表わされる画像の印刷を印刷実行部２４に実行させる。これにより、ＦＡＸ受信動作が実現される。
【００６６】
Ｓ２３４及びＳ２３６は、処理の実行主体がＣＤ５０のＣＰＵ７２ではなくＭＦＰ１０のＣＰＵ３２である点を除くと、図３のＳ１３４及びＳ１３６と同様である。Ｓ２３６でＭＦＰ１０のＷｉ−ＦｉＩ／Ｆ２０がＯＦＦ状態に変更されるので、ＭＦＰ１０の消費電力を低減させることができる。Ｓ２３４でＮＯの場合、又は、Ｓ２３６が終了する場合には、Ｓ２００に戻る。
【００６７】
（具体的なケース）
続いて、図５及び図６を参照して、図２〜図４の各処理によって実現される具体的なケースについて説明する。図５及び図６において、ＭＦＰ１０とＣＤ５０との間の太線矢印、細線矢印は、それぞれ、Ｗｉ−Ｆｉ通信、ＢＴ通信を示す。また、ＣＤ５０とＦＡＸ装置１２０との間の細線矢印は、ＰＳＴＮを介した通信を示す。
【００６８】
（ケースＡ；図５）
Ａ１では、ＭＦＰ１０の電源がユーザによってＯＮされる。この場合、Ｔ１０において、ＭＦＰ１０は、Ｗｉ−ＦｉＩ／Ｆ２０及びＢＴＩ／Ｆ２２のそれぞれをＯＮ状態に変更する（図２のＳ２）。
【００６９】
Ａ２では、ＣＤ５０の電源がユーザによってＯＮされる。この場合、Ｔ１２において、ＣＤ５０は、Ｗｉ−ＦｉＩ／Ｆ６０及びＢＴＩ／Ｆ６２のそれぞれをＯＮ状態に変更する（図２のＳ２）。
【００７０】
Ｔ１４では、ＭＦＰ１０とＣＤ５０との間にＷｉ−Ｆｉ接続が確立される（図２のＳ４）。その後、ＭＦＰ１０は、Ｔ２０において、ＭＦＰ１０のデバイス名「Ｎ１０」を含むＡｄｖｅｒｔｉｓｅ信号をブロードキャスト送信し（Ｓ２２）、Ｔ２２において、ＣＤ５０からＢＴ接続要求を受信する（Ｓ２４でＹＥＳ）。この結果、ＭＦＰ１０とＣＤ５０との間にＢＴ接続が確立される（Ｓ２６）。なお、図５のケースＡでは、ＭＦＰ１０がＡｄｖｅｒｔｉｓｅ信号を送信するタイミングが、ＣＤ５０がＡｄｖｅｒｔｉｓｅ信号を送信するタイミングよりも早く、この結果、ＣＤ５０は、ＭＦＰ１０からＡｄｖｅｒｔｉｓｅ信号を受信して、ＢＴ接続要求をＭＦＰ１０に送信する。ただし、別のケースでは、ＣＤ５０がＡｄｖｅｒｔｉｓｅ信号をブロードキャスト送信し、ＭＦＰ１０がＢＴ接続要求をＣＤ５０に送信してもよい。
【００７１】
Ｔ３０では、ＭＦＰ１０は、Ｗｉ−ＦｉＩ／Ｆ２０をＯＦＦ状態に変更する（図２のＳ２８）。また、Ｔ３２では、ＣＤ５０は、Ｗｉ−ＦｉＩ／Ｆ６０をＯＦＦ状態に変更する（Ｓ２８）。この結果、Ｔ３４では、ＭＦＰ１０とＣＤ５０との間のＷｉ−Ｆｉ接続が切断される。即ち、ＭＦＰ１０とＣＤ５０との間では、ＢＴ接続が確立されているが、Ｗｉ−Ｆｉ接続が切断されている。
【００７２】
Ｔ４０では、ＣＤ５０は、ＰＳＴＮを介して、ＦＡＸ装置１２０からＦＡＸデータＤ１を受信する（図３のＳ１００でＹＥＳ）。この場合、ＣＤ５０は、Ｔ４２において、ＢＴ接続を利用して、起動通知をＭＦＰ１０に送信し（Ｓ１０２でＮＯ、Ｓ１０４）、Ｔ４４において、Ｗｉ−ＦｉＩ／Ｆ６０をＯＮ状態に変更する（Ｓ１０６）。
【００７３】
ＭＦＰ１０は、ＢＴ接続を利用して、ＣＤ５０から起動通知を受信すると（図２のＳ３０でＹＥＳ）、Ｔ５０において、Ｗｉ−ＦｉＩ／Ｆ２０をＯＮ状態に変更する（Ｓ３２）。そして、Ｔ５２では、ＭＦＰ１０とＣＤ５０との間にＷｉ−Ｆｉ接続が確立される（図２のＳ３４、図３のＳ１０８）。
【００７４】
Ｔ６０では、ＣＤ５０は、Ｔ５２で確立されたＷｉ−Ｆｉ接続を利用して、ＦＡＸデータＤ１をＭＦＰ１０に送信する（図３のＳ１１０）。
【００７５】
ＭＦＰ１０は、Ｗｉ−Ｆｉ接続を利用して、ＣＤ５０からＦＡＸデータＤ１を受信すると（図４のＳ２３０でＹＥＳ）、Ｔ６２において、ＦＡＸデータＤ１によって表わされる画像を印刷する（Ｓ２３２）。これにより、ＦＡＸ受信動作が実現される。
【００７６】
Ｔ７０では、ＭＦＰ１０は、Ｗｉ−ＦｉＩ／Ｆ２０をＯＦＦ状態に変更する（図４のＳ２３４でＹＥＳ、Ｓ２３６）。また、Ｔ７２では、ＣＤ５０は、Ｗｉ−ＦｉＩ／Ｆ６０をＯＦＦ状態に変更する（図３のＳ１１２）。この結果、Ｔ７４では、ＭＦＰ１０とＣＤ５０との間のＷｉ−Ｆｉ接続が切断される。
【００７７】
（ケースＢ；図６）
図６のケースＢの初期状態では、ＭＦＰ１０とＣＤ５０との間では、ＢＴ接続が確立されているが、Ｗｉ−Ｆｉ接続が切断されている。
【００７８】
Ａ３では、ＭＦＰ１０にＦＡＸ送信操作が実行される（図４のＳ２００でＹＥＳ）。この場合、ＭＦＰ１０は、Ｔ１００において、原稿のスキャンを実行してＦＡＸデータＤ２を生成し（図４のＳ２０１）、Ｔ１０２において、ＢＴ接続を利用して、起動通知をＣＤ５０に送信し（Ｓ２０２でＮＯ、Ｓ２０４）、Ｔ１０４において、Ｗｉ−ＦｉＩ／Ｆ２０をＯＮ状態に変更する（Ｓ２０６）。
【００７９】
ＣＤ５０は、ＢＴ接続を利用して、ＭＦＰ１０から起動通知を受信すると（図２のＳ３０でＹＥＳ）、Ｔ１１０において、Ｗｉ−ＦｉＩ／Ｆ６０をＯＮ状態に変更する（Ｓ３２）。そして、Ｔ１１２では、ＭＦＰ１０とＣＤ５０との間にＷｉ−Ｆｉ接続が確立される（図２のＳ３４、図４のＳ２０８）。
【００８０】
Ｔ１２０では、ＭＦＰ１０は、Ｔ１１２で確立されたＷｉ−Ｆｉ接続を利用して、ＦＡＸデータＤ２と、ＦＡＸ装置１２０のＦＡＸ番号と、をＣＤ５０に送信する（図４のＳ２１０）。
【００８１】
ＣＤ５０は、Ｗｉ−Ｆｉ接続を利用して、ＭＦＰ１０からＦＡＸデータＤ２とＦＡＸ番号とを受信すると（図３のＳ１３０でＹＥＳ）、Ｔ１２２において、ＰＳＴＮを介して、ＦＡＸデータＤ２をＦＡＸ装置１２０に送信する（Ｓ１３２）。これにより、ＦＡＸ送信動作が実現される。
【００８２】
Ｔ１３０では、ＭＦＰ１０は、Ｗｉ−ＦｉＩ／Ｆ２０をＯＦＦ状態に変更する（図４のＳ２１２）。また、Ｔ１３２では、ＣＤ５０は、Ｗｉ−ＦｉＩ／Ｆ６０をＯＦＦ状態に変更する（図３のＳ１３４でＹＥＳ、Ｓ１３６）。この結果、Ｔ１３４では、ＭＦＰ１０とＣＤ５０との間のＷｉ−Ｆｉ接続が切断される。
【００８３】
Ｔ１４０では、ＭＦＰ１０とＣＤ５０との間のＢＴ通信の通信環境が悪化し、この結果、ＭＦＰ１０とＣＤ５０との間のＢＴ接続が切断される（図２のＳ１０でＹＥＳ）。この場合、Ｔ１４１では、ＭＦＰ１０は、Ｗｉ−ＦｉＩ／Ｆ２０をＯＮ状態に変更する（Ｓ１２）。また、Ｔ１４２では、ＣＤ５０は、Ｗｉ−ＦｉＩ／Ｆ６０をＯＮ状態に変更する（Ｓ１２）。この結果、Ｔ１４４では、ＭＦＰ１０とＣＤ５０との間にＷｉ−Ｆｉ接続が確立される（Ｓ１４）。
【００８４】
Ｔ１５０では、ＣＤ５０は、ＰＳＴＮを介して、ＦＡＸ装置１２０からＦＡＸデータＤ３を受信する（図３のＳ１００でＹＥＳ）。この場合、ＣＤ５０は、起動通知をＭＦＰ１０に送信することなく（Ｓ１０２でＹＥＳ）、Ｔ１６０において、Ｔ１４４で確立されたＷｉ−Ｆｉ接続を利用して、ＦＡＸデータＤ３をＭＦＰ１０に送信する（Ｓ１２０）。
【００８５】
ＭＦＰ１０は、Ｗｉ−Ｆｉ接続を利用して、ＣＤ５０からＦＡＸデータＤ３を受信すると（図４のＳ２３０でＹＥＳ）、Ｔ１６２において、ＦＡＸデータＤ３によって表わされる画像を印刷する（Ｓ２３２）。これにより、ＦＡＸ受信動作が実現される。この後、ＭＦＰ１０は、Ｗｉ−ＦｉＩ／Ｆ２０をＯＦＦ状態に変更せず（図４のＳ２３４でＮＯ）、ＣＤ５０は、Ｗｉ−ＦｉＩ／Ｆ６０をＯＦＦ状態に変更しない（図３のＳ１２０の後にＳ１１２を実行しない）。即ち、ＭＦＰ１０とＣＤ５０との間のＷｉ−Ｆｉ接続が維持される。
【００８６】
また、Ａ４では、ＭＦＰ１０にＦＡＸ送信操作が実行される（図４のＳ２００でＹＥＳ）。この場合、ＭＦＰ１０は、Ｔ１７０において、原稿のスキャンを実行してＦＡＸデータＤ４を生成し（Ｓ２０１）、起動通知をＣＤ５０に送信することなく（Ｓ２０２でＹＥＳ）、Ｔ１８０において、Ｔ１４４で確立されたＷｉ−Ｆｉ接続を利用して、ＦＡＸデータＤ４とＦＡＸ番号とをＣＤ５０に送信する（Ｓ２２０）。
【００８７】
ＣＤ５０は、Ｗｉ−Ｆｉ接続を利用して、ＭＦＰ１０からＦＡＸデータＤ４とＦＡＸ番号とを受信すると（図３のＳ１３０でＹＥＳ）、Ｔ１８２において、ＰＳＴＮを介して、ＦＡＸデータＤ４をＦＡＸ装置１２０に送信する（Ｓ１３２）。これにより、ＦＡＸ送信動作が実現される。この後、ＭＦＰ１０は、Ｗｉ−ＦｉＩ／Ｆ２０をＯＦＦ状態に変更せず（図４のＳ２２０の後にＳ２１２を実行しない）、ＣＤ５０は、Ｗｉ−ＦｉＩ／Ｆ６０をＯＦＦ状態に変更しない（図３のＳ１３４でＮＯ）。即ち、ＭＦＰ１０とＣＤ５０との間のＷｉ−Ｆｉ接続が維持される。
【００８８】
（実施例の効果）
図５のケースＡに示されるように、ＣＤ５０は、ＰＳＴＮからＦＡＸデータＤ１を受信する場合（Ｔ４０）、即ち、ＦＡＸデータＤ１をＭＦＰ１０に送信するための指示を取得する場合に、ＢＴ接続を利用して、起動通知をＭＦＰ１０に送信する（Ｔ４２）。そして、ＣＤ５０は、Ｗｉ−Ｆｉ接続をＭＦＰ１０と確立して（Ｔ５２）、ＦＡＸデータＤ１をＭＦＰ１０に送信する（Ｔ６０）。これにより、ＦＡＸ受信動作が実現される。また、図６のケースＢに示されるように、ＭＦＰ１０は、ＦＡＸ送信操作を受け付ける場合（Ａ３）、即ち、ＦＡＸデータＤ２をＣＤ５０に送信するための指示を取得する場合に、ＢＴ接続を利用して、起動通知をＣＤ５０に送信する（Ｔ１０２）。そして、ＭＦＰ１０は、Ｗｉ−Ｆｉ接続をＣＤ５０と確立して（Ｔ１１２）、ＦＡＸデータＤ２をＣＤ５０に送信する（Ｔ１２０）。これにより、ＦＡＸ送信動作が実現される。
【００８９】
上述したように、ＭＦＰ１０とＣＤ５０との間でＢＴ接続を利用して起動通知が通信される構成を採用しているので、ＭＦＰ１０は、ＦＡＸデータＤ１，Ｄ２を通信すべき状況では、Ｗｉ−ＦｉＩ／Ｆ２０をＯＮ状態（即ちＷｉ−Ｆｉ通信を実行可能な状態）に変更するが、ＦＡＸデータＤ１，Ｄ２を通信すべきでない状況では、Ｗｉ−ＦｉＩ／Ｆ２０をＯＦＦ状態（即ちＷｉ−Ｆｉ通信を実行不可能な状態）に設定することができる。このために、ＭＦＰ１０の消費電力を低減させることができる。
【００９０】
また、ＭＦＰ１０とＣＤ５０との間でＢＴ接続を利用して起動通知が通信される構成を採用しているので、ＣＤ５０は、ＦＡＸデータＤ１，Ｄ２を通信すべき状況では、Ｗｉ−ＦｉＩ／Ｆ６０をＯＮ状態（即ちＷｉ−Ｆｉ通信を実行可能な状態）に変更するが、ＦＡＸデータＤ１，Ｄ２を通信すべきでない状況では、Ｗｉ−ＦｉＩ／Ｆ６０をＯＦＦ状態（即ちＷｉ−Ｆｉ通信を実行不可能な状態）に設定することができる。このために、ＣＤ５０の消費電力を低減させることができる。
【００９１】
また、図６のケースＢに示されるように、ＭＦＰ１０とＣＤ５０の間でＢＴ接続が切断される場合（Ｔ１４０）には、ＢＴ接続を利用して起動通知の通信を実行不可能であるので、ＭＦＰ１０とＣＤ５０の間でＷｉ−Ｆｉ接続が確立される（Ｔ１４４）。このために、ＭＦＰ１０とＣＤ５０とは、ＢＴ接続を確立することができない状況でも、Ｗｉ−Ｆｉ接続を利用して、ＦＡＸデータＤ３，Ｄ４の通信を適切に実行することができる。
【００９２】
（対応関係）
Ｗｉ−Ｆｉ方式、Ｗｉ−ＦｉＩ／Ｆ２０，６０が、それぞれ、「第１の通信方式」、「第１のインターフェース」の一例である。ＢＴ方式、ＢＴＩ／Ｆ２２，６２が、それぞれ、「第２の通信方式」、「第２のインターフェース」の一例である。ＰＳＴＮＩ／Ｆ６４が、「第３のインターフェース」の一例である。ＯＦＦ状態が、「第１の状態」及び「不可能状態」の一例であり、ＯＮ状態が、「第２の状態」及び「可能状態」の一例である。
【００９３】
本実施例の一つの形態では、ＣＤ５０が「第１の通信機器」の一例であり、ＭＦＰ１０が「第２の通信機器」の一例である。この場合、以下の対応関係が得られる。ＭＦＰ１０のＷｉ−ＦｉＩ／Ｆ２０が、「所定のインターフェース」の一例である。図５のＴ４０でＦＡＸデータＤ１を受信することが、「所定指示が取得される場合」の一例である。図５のＴ４２で通信される起動通知、図６のＴ１０２で通信される起動通知が、それぞれ、「第１の通知」、「第２の通知」の一例である。図５のＴ５２で確立されるＷｉ−Ｆｉ接続、Ｔ２４で確立されるＢＴ接続、図６のＴ１４４で確立されるＷｉ−Ｆｉ接続、Ｔ１１２で確立されるＷｉ−Ｆｉ接続が、それぞれ、「第１の無線接続」、「第２の無線接続」、「第３の無線接続」、「第４の無線接続」の一例である。図５のＴ６０で通信されるＦＡＸデータＤ１、図６のＴ１２０で通信されるＦＡＸデータＤ２が、それぞれ、「第１のファクシミリデータ」、「第２のファクシミリデータ」の一例である。
【００９４】
また、本実施例の他の形態では、ＭＦＰ１０が「第１の通信機器」の一例であり、ＣＤ５０が「第２の通信機器」の一例である。この場合、以下の対応関係が得られる。ＣＤ５０のＷｉ−ＦｉＩ／Ｆ６０が、「所定のインターフェース」の一例である。図６のＡ３でＦＡＸ送信操作を受け付けることが、「所定指示が取得される場合」の一例である。図６のＴ１０２で通信される起動通知、図５のＴ４２で通信される起動通知が、それぞれ、「第１の通知」、「第２の通知」の一例である。図６のＴ１１２で確立されるＷｉ−Ｆｉ接続、図５のＴ２４で確立されるＢＴ接続、図６のＴ１４４で確立されるＷｉ−Ｆｉ接続、図５のＴ５２で確立されるＷｉ−Ｆｉ接続が、それぞれ、「第１の無線接続」、「第２の無線接続」、「第３の無線接続」、「第４の無線接続」の一例である。図６のＴ１２０で通信されるＦＡＸデータＤ２、図５のＴ６０で通信されるＦＡＸデータＤ１が、それぞれ、「第１のファクシミリデータ」、「第２のファクシミリデータ」の一例である。
【００９５】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。上記の実施例の変形例を以下に列挙する。
【００９６】
（変形例１）ＣＤ５０は、電源がＯＮされている間に、Ｗｉ−ＦｉＩ／Ｆ６０をＯＦＦ状態に変更することなく、Ｗｉ−ＦｉＩ／Ｆ６０をＯＮ状態に維持してもよい。即ち、ＣＤ５０は、図２のＳ１２、Ｓ２８、Ｓ３０〜Ｓ３４、図３のＳ１０６、Ｓ１０８、Ｓ１３４、及び、Ｓ１３６を実行しなくてもよい。即ち、ＣＤ５０が「第１の通信機器」の一例である場合には、「第１の変更部」、「第３の確立部」、「通知受信部」、「第２の変更部」、及び、「第４の確立部」を省略可能である。また、ＭＦＰ１０は、電源がＯＮされている間に、Ｗｉ−ＦｉＩ／Ｆ２０をＯＦＦ状態に変更することなく、Ｗｉ−ＦｉＩ／Ｆ２０をＯＮ状態に維持してもよい。即ち、ＭＦＰ１０は、図２のＳ１２、Ｓ２８、Ｓ３０〜Ｓ３４、図４のＳ２０６、Ｓ２０８、Ｓ２３４、及び、Ｓ２３６を実行しなくてもよい。即ち、ＭＦＰ１０が「第１の通信機器」の一例である場合には、「第１の変更部」、「第３の確立部」、「通知受信部」、「第２の変更部」、及び、「第４の確立部」を省略可能である。
【００９７】
（変形例２）ＭＦＰ１０とＣＤ５０との間にＢＴ接続が予め確立されていなくてもよい。即ち、ＣＤ５０は、図３のＳ１００でＹＥＳ及びＳ１０２でＮＯの場合に、図２のＳ２２〜Ｓ２６を実行して、ＢＴ接続をＭＦＰ１０と確立し、その後、Ｓ１０４〜Ｓ１１２を実行してもよい。また、ＭＦＰ１０は、図４のＳ２００でＹＥＳ及びＳ２０２でＮＯの場合に、図２のＳ２２〜Ｓ２６を実行して、ＢＴ接続をＣＤ５０と確立し、その後、Ｓ２０４〜Ｓ２１２を実行してもよい。即ち、「第２の確立部」を省略可能であり、一般的に言うと、「通知送信部」は、第２のインターフェースを介して、第１の通知を第２の通信機器に送信すればよい。
【００９８】
（変形例３）上記の実施例及び変形例２では、ＭＦＰ１０とＣＤ５０との間でＢＴ接続を利用して起動通知が通信される。これに代えて、例えば、ＣＤ５０は、図３のＳ１００でＹＥＳ及びＳ１０２でＮＯの場合に、Ｓ１０４を実行する代わりに、ＣＤ５０のデバイス名「Ｎ５０」を含むＡｄｖｅｒｔｉｓｅ信号をブロードキャスト送信する。そして、ＭＦＰ１０は、ＣＤ５０からＡｄｖｅｒｔｉｓｅ信号を受信し、かつ、Ａｄｖｅｒｔｉｓｅ信号内のデバイス名「Ｎ５０」がメモリ３４に記憶されている場合に、Ｗｉ−ＦｉＩ／Ｆ２０をＯＮ状態に変更し（図２のＳ３２）、Ｗｉ−Ｆｉ接続をＣＤ５０と確立する（Ｓ３４）。また、ＭＦＰ１０は、図４のＳ２００でＹＥＳ及びＳ２０２でＮＯの場合に、Ｓ２０４を実行する代わりに、ＭＦＰ１０のデバイス名「Ｎ１０」を含むＡｄｖｅｒｔｉｓｅ信号をブロードキャスト送信する。そして、ＣＤ５０は、ＭＦＰ１０からＡｄｖｅｒｔｉｓｅ信号を受信し、かつ、Ａｄｖｅｒｔｉｓｅ信号内のデバイス名「Ｎ１０」がメモリ７４に記憶されている場合に、Ｗｉ−ＦｉＩ／Ｆ６０をＯＮ状態に変更し（図２のＳ３２）、Ｗｉ−Ｆｉ接続をＭＦＰ１０と確立する（Ｓ３４）。本変形例では、ＣＤ５０が「第１の通信機器」の一例である場合には、ＣＤ５０からＭＦＰ１０にブロードキャスト送信されるＡｄｖｅｒｔｉｓｅ信号、ＭＦＰ１０からＣＤ５０にブロードキャスト送信されるＡｄｖｅｒｔｉｓｅ信号が、それぞれ、「第１の通知」、「第２の通知」の一例である。また、ＭＦＰ１０が「第１の通信機器」の一例である場合には、ＭＦＰ１０からＣＤ５０にブロードキャスト送信されるＡｄｖｅｒｔｉｓｅ信号、ＣＤ５０からＭＦＰ１０にブロードキャスト送信されるＡｄｖｅｒｔｉｓｅ信号が、それぞれ、「第１の通知」、「第２の通知」の一例である。
【００９９】
（変形例４）上記の実施例では、「第１のインターフェース」及び「所定のインターフェース」の「第１の状態」は、インターフェースに電力が供給されていない状態である。これに代えて、「第１の状態」は、インターフェースに少量の電力が供給されている状態であってもよい。この場合、「第１の状態」は、インターフェースを介した無線通信を実行可能な状態であってもよいし、インターフェースを介した無線通信を実行不可能な状態であってもよい。ただし、前者の場合、例えば、「第１の状態」は、「第２の状態」よりも通信速度が遅い状態であってもよい。また、前者の場合、例えば、「第１の状態」は、ＯＳＩ参照モデルのデータリンク層よりも上位である上位層（例えばアプリケーション層）の通信を実行不可能であり、かつ、ＯＳＩ参照モデルのデータリンク層以下である下位層の通信を実行可能な状態であってもよい。
【０１００】
（変形例５）「第１のインターフェース」は、Ｗｉ−Ｆｉ通信を実行するためのＩ／Ｆでなくてもよく、無線ＬＡＮを構築可能な他の通信方式に従った無線通信を実行するためのＩ／Ｆであってもよい。また、「第２のインターフェース」は、ＢＴ通信を実行するためのＩ／Ｆでなくてもよく、例えば、近距離無線通信を実行可能な他の通信方式（例えばＴｒａｎｓｆｅｒＪｅｔ（登録商標）方式）に従った無線通信を実行するためのＩ／Ｆであってもよい。
【０１０１】
（変形例６）上記の実施例では、図３のＳ１０４において、ＣＤ５０の制御部７０内のＣＰＵ７２が起動通知をＭＦＰ１０に送信する。これに代えて、例えば、ＢＴＩ／Ｆ６２は、ＣＰＵとメモリとを備えており、当該メモリは、プログラムを予め記憶していてもよい。そして、ＢＴＩ／Ｆ６２内のＣＰＵは、制御部７０内のＣＰＵ７２から図３のＳ１０２でＹＥＳと判断したことを示す情報を取得する場合に、ＢＴＩ／Ｆ６２内のメモリに記憶されているプログラムに従って、起動通知をＭＦＰ１０に送信してもよい。同様に、ＭＦＰ１０のＢＴＩ／Ｆ２２内のＣＰＵは、制御部３０内のＣＰＵ３２から図４のＳ２０２でＹＥＳと判断したことを示す情報を取得する場合に、ＢＴＩ／Ｆ２２内のメモリに記憶されているプログラムに従って、起動通知をＣＤ５０に送信してもよい。一般的に言うと、「第１の通信機器」及び「第２の通信機器」のそれぞれは、２個以上のプロセッサ（例えばＣＤ５０の制御部７０内のＣＰＵ７２とＢＴＩ／Ｆ６２内のＣＰＵ）と、２個以上のメモリ（例えばＣＤ５０の制御部７０内のメモリ７４とＢＴＩ／Ｆ６２内のメモリ）と、を備えていてもよく、各プロセッサが各メモリに記憶されている各プログラムに従って処理を実行してもよい。
【０１０２】
（変形例７）ＭＦＰ１０のＣＰＵ３２及びＣＤ５０のＣＰＵ７２がプログラム３６，７６（即ちソフトウェア）を実行することによって、図２〜図６の各処理が実現される。これに代えて、図２〜図６の各処理のうちの少なくとも１つの処理は、論理回路等のハードウェアによって実現されてもよい。
【０１０３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
以下に、本明細書に記載の技術の特徴を列挙する。
（項目１）
第１の通信機器であって、
第１の通信方式に従った無線通信を実行するための第１のインターフェースと、
前記第１の通信方式とは異なる第２の通信方式に従った無線通信を実行するための第２のインターフェースと、
第１のファクシミリデータを第２の通信機器に送信するための所定指示が取得される場合に、前記第２のインターフェースを介して、第１の通知を前記第２の通信機器に送信する通知送信部であって、前記第１の通知は、前記第２の通信機器の所定のインターフェースの状態を、第１の状態から、前記第１の状態よりも消費電力が高い第２の状態に変更させるための通知であり、前記所定のインターフェースは、前記第２の通信機器が、前記第１の通信方式に従った無線通信を実行して、前記第１の通信機器から前記第１のファクシミリデータを受信するためのインターフェースである、前記通知送信部と、
前記第１の通知が送信された後に、前記第１のインターフェースを介した第１の無線接続を前記第２の通信機器と確立する第１の確立部と、
前記第１の無線接続を利用して、前記第１のインターフェースを介して、前記第１のファクシミリデータを前記第２の通信機器に送信するファクシミリ送信部と、
を備える、第１の通信機器。
（項目２）
前記第１の通信機器は、さらに、
前記第１のインターフェースの状態が第１の状態である間に前記所定指示が取得される場合に、前記第１のインターフェースの状態を前記第１の状態から前記第１の状態よりも消費電力が高い第２の状態に変更する第１の変更部を備え、
前記第１の確立部は、前記第１のインターフェースの状態が前記第２の状態に変更された後に、前記第１のインターフェースを介した前記第１の無線接続を前記第２の通信機器と確立し、
前記第１の変更部は、さらに、前記第２の通信機器への前記第１のファクシミリデータの送信が完了する場合に、前記第１のインターフェースの状態を前記第２の状態から前記第１の状態に変更する、項目１に記載の第１の通信機器。
（項目３）
前記第１の通信機器は、さらに、
前記所定指示が取得される前に、前記第２のインターフェースを介した第２の無線接続を前記第２の通信機器と確立する第２の確立部を備え、
前記通知送信部は、前記第２の無線接続が確立されている間に前記所定指示が取得される場合に、前記第２の無線接続を利用して、前記第２のインターフェースを介して、前記第１の通知を前記第２の通信機器に送信する、項目１又は２に記載の第１の通信機器。
（項目４）
前記第１の通信機器は、さらに、
前記第２の無線接続が切断される場合に、前記第１のインターフェースを介した第３の無線接続を前記第２の通信機器と確立する第３の確立部を備え、
前記通知送信部は、前記第３の無線接続が形成されている間に前記所定指示が取得される場合に、前記第１の通知を前記第２の通信機器に送信しない、項目３に記載の第１の通信機器。
（項目５）
前記第１の通信機器は、さらに、
前記第１のインターフェースの状態が第１の状態である間に、前記第２のインターフェースを介して、前記第２の通信機器から第２の通知を受信する通知受信部と、
前記第２の通知が受信される場合に、前記第１のインターフェースの状態を前記第１の状態から前記第１の状態よりも消費電力が高い第２の状態に変更する第２の変更部と、
前記第１のインターフェースの状態が前記第２の状態に変更された後に、前記第１のインターフェースを介した第４の無線接続を前記第２の通信機器と確立する第４の確立部と、
前記第４の無線接続を利用して、前記第１のインターフェースを介して、前記第２の通信機器から第２のファクシミリデータを受信するファクシミリ受信部と、を備え、
前記第２の変更部は、さらに、前記第２の通信機器からの前記第２のファクシミリデータの受信が完了する場合に、前記第１のインターフェースの状態を前記第２の状態から前記第１の状態に変更し、
前記第２のインターフェースの消費電力は、前記第２の状態である前記第１のインターフェースの消費電力よりも低い、項目１から４のいずれか一項に記載の第１の通信機器。
（項目６）
前記第１の通信機器は、さらに、
公衆回線に接続される第３のインターフェースと、
前記第３のインターフェースを介して、外部機器から前記第１のファクシミリデータを受信することによって、前記所定指示を取得する取得部と、を備え、
前記第１のファクシミリデータによって表わされる画像は、前記第２の通信機器で印刷される、項目１から５のいずれか一項に記載の第１の通信機器。
（項目７）
前記第１の通信機器は、さらに、
ユーザによって操作される操作部と、
スキャン実行部と、
前記第１のファクシミリデータを送信するための操作を前記操作部で受け付けることによって、前記所定指示を取得する取得部と、
前記所定指示が取得される場合に、前記スキャン実行部に原稿のスキャンを実行させて、前記第１のファクシミリデータを生成する生成部と、を備え、
前記第１のファクシミリデータは、前記第２の通信機器から公衆回線を介して外部機器に送信される、項目１から５のいずれか一項に記載の第１の通信機器。
（項目８）
第２の通信機器であって、
第１の通信方式に従った無線通信を実行するための第１のインターフェースと、
前記第１の通信方式とは異なる第２の通信方式に従った無線通信を実行するための第２のインターフェースと、
前記第１のインターフェースの状態が第１の状態である間に、前記第２のインターフェースを介して、前記第１の通信機器から第１の通知を受信する通知受信部と、
前記第１の通知が受信される場合に、前記第１のインターフェースの状態を前記第１の状態から前記第１の状態よりも消費電力が高い第２の状態に変更する変更部と、
前記第１のインターフェースの状態が前記第２の状態に変更された後に、前記第１のインターフェースを介した第１の無線接続を前記第１の通信機器と確立する確立部と、
前記第１の無線接続を利用して、前記第１のインターフェースを介して、前記第１の通信機器から前記第１のファクシミリデータを受信するファクシミリ受信部と、を備え、
前記変更部は、さらに、前記第１の通信機器からの前記第１のファクシミリデータの受信が完了する場合に、前記第１のインターフェースの状態を前記第２の状態から前記第１の状態に変更し、
前記第２のインターフェースの消費電力は、前記第２の状態である前記第１のインターフェースの消費電力よりも低い、第２の通信機器。
（項目９）
前記第１のファクシミリデータは、前記第１の通信機器が原稿のスキャンを実行することによって、前記第１の通信機器で生成されるデータであり、
前記第２の通信機器は、さらに、
公衆回線に接続される第３のインターフェースと、
前記第１のファクシミリデータが受信される場合に、前記第３のインターフェースを介して、前記第１のファクシミリデータを外部機器に送信するファクシミリ送信部と、を備える、項目８に記載の第２の通信機器。
（項目１０）
前記第１のファクシミリデータは、前記第１の通信機器が公衆回線を介して外部機器から受信するデータであり、
前記第２の通信機器は、さらに、
印刷実行部と、
前記第１のファクシミリデータが受信される場合に、前記第１のファクシミリデータによって表わされる画像を前記印刷実行部に印刷させる印刷制御部と、を備える、項目８に記載の第２の通信機器。
（項目１１）
第１の通信機器であって、
第１の通信方式に従った無線通信を実行するための第１のインターフェースと、
前記第１の通信方式とは異なる第２の通信方式に従った無線通信を実行するための第２のインターフェースと、
第１のファクシミリデータを第２の通信機器に送信するための所定指示が取得される場合に、前記第２のインターフェースを介して、第１の通知を前記第２の通信機器に送信する通知送信部であって、前記第１の通知は、前記第２の通信機器の所定のインターフェースの状態を、無線通信を実行不可能な不可能状態から、無線通信を実行可能な可能状態に変更させるための通知であり、前記所定のインターフェースは、前記第２の通信機器が、前記第１の通信方式に従った無線通信を実行して、前記第１の通信機器から前記第１のファクシミリデータを受信するためのインターフェースである、前記通知送信部と、
前記第１の通知が送信された後に、前記第１のインターフェースを介した第１の無線接続を前記第２の通信機器と確立する確立部と、
前記第１の無線接続を利用して、前記第１のインターフェースを介して、前記第１のファクシミリデータを前記第２の通信機器に送信するファクシミリ送信部と、
を備える、第１の通信機器。
（項目１２）
第２の通信機器であって、
第１の通信方式に従った無線通信を実行するための第１のインターフェースと、
前記第１の通信方式とは異なる第２の通信方式に従った無線通信を実行するための第２のインターフェースと、
前記第１のインターフェースの状態が無線通信を実行不可能な不可能状態である間に、前記第２のインターフェースを介して、前記第１の通信機器から第１の通知を受信する通知受信部と、
前記第１の通知が受信される場合に、前記第１のインターフェースの状態を前記不可能状態から無線通信を実行可能な可能状態に変更する変更部と、
前記第１のインターフェースの状態が可能状態に変更された後に、前記第１のインターフェースを介した第１の無線接続を前記第１の通信機器と確立する確立部と、
前記第１の無線接続を利用して、前記第１のインターフェースを介して、前記第１の通信機器から前記第１のファクシミリデータを受信するファクシミリ受信部と、を備え、
前記変更部は、さらに、前記第１の通信機器からの前記第１のファクシミリデータの受信が完了する場合に、前記第１のインターフェースの状態を前記可能状態から前記不可能状態に変更する、第２の通信機器。
【符号の説明】
【０１０４】
２：通信システム、１０：多機能機（ＭＦＰ）、１２：操作部、１４：表示部、２０：Ｗｉ−Ｆｉインターフェース、２２：ＢＴ（Ｂｌｕｅｔｏｏｔｈ）Ｉ／Ｆ、２４：印刷実行部、２６：スキャン実行部、３０：制御部、３２：ＣＰＵ、３４：メモリ、５０：通話デバイス（ＣＤ）、６０：Ｗｉ−Ｆｉインターフェース、６２：ＢＴ（Ｂｌｕｅｔｏｏｔｈ）Ｉ／Ｆ、６４：ＰＳＴＮＩ／Ｆ、７０：制御部、７２：ＣＰＵ、７４：メモリ、８０：ハンドセット、８２：マイク、８４：スピーカ、１２０：ＦＡＸ装置
【図１】
0006575103.tif 000002
【図２】
0006575103.tif 000003
【図３】
0006575103.tif 000004
【図４】
0006575103.tif 000005
【図５】
0006575103.tif 000006
【図６】
0006575103.tif 000007